【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
２つ以上の通信端末の間で通信を開始する際に用いられる宛先候補を管理する管理システムであって、
第１の通信端末から送信された第１の識別情報に基づいて前記管理システムにログインした場合に、前記第１の識別情報とは異なる第２の識別情報に対応する宛先候補を含む第１の宛先リストを、前記第１の通信端末に送信し、第２の通信端末から送信された前記第２の識別情報に基づいて前記管理システムにログインした場合に、前記第１の識別情報に対応する宛先候補を含む第２の宛先リストを、前記第２の通信端末に送信する送信手段と、
前記第１の通信端末から受け付けた、前記第２の識別情報に対応する宛先候補を前記第１の宛先リストから削除する旨の削除要求に基づき、前記第１の宛先リストから前記第２の識別情報に対応する宛先候補を削除する一方で、前記削除要求のあった宛先候補に対応する前記第２の識別情報に関連付けられている前記第２の宛先リストから、前記第１の識別情報に対応する宛先候補を削除する削除手段と、
を有することを特徴とする管理システム。
【請求項２】
請求項１に記載の管理システムであって、
前記送信手段は、前記削除手段によって削除された前記第２の識別情報に対応する宛先候補識別情報によって示されている宛先候補に対して、前記削除が完了した旨を示す削除完了通知を送信することを特徴とする管理システム。
【請求項３】
前記送信手段は、前記削除要求の要求元である前記第１の通信端末に対して、前記削除完了通知を送信することを特徴とする請求項２に記載の伝送管理システム。
【請求項４】
前記削除要求が前記第１の識別情報を含む複数の特定の識別情報に関連付けられている特定の宛先候補を削除する旨を示す場合には、前記削除手段は、当該複数の特定の識別情報に関連付けられている各特定の宛先候補を削除することを特徴とする請求項１乃至３のいずれか一項に記載の管理システム。
【請求項５】
前記第１の宛先リストは、前記第１の通信端末において表示され、該第１の宛先リストに含まれる宛先候補の指定を受け付けることによって、該指定された宛先候補とコンテンツデータを送信又は受信するセッションを確立するためのリストであることを特徴とする請求項１乃至４のいずれか一項に記載の管理システム。
【請求項６】
前記第１の通信端末から送信された第１の識別情報は、前記第１の通信端末に記憶されている識別情報又は前記第１の通信端末に対して利用者が入力した識別情報であって、前記第２の通信端末から送信された第２の識別情報は、前記第２の通信端末に記憶されている識別情報又は前記第２の通信端末に対して利用者が入力した識別情報であることを特徴とする請求項１乃至５のいずれか一項に記載の管理システム。
【請求項７】
前記宛先候補を用いて開始される２つ以上の通信端末の間の通信は、画像データ、音データ、テキストデータのうち少なくとも１つが含まれるコンテンツデータによる通信であることを特徴とする請求項１乃至６のいずれか一項に記載の管理システム。
【請求項８】
２つ以上の通信端末の間で通信を開始する際に用いられる宛先候補を管理する管理システムが実行する管理方法であって、
第１の通信端末から送信された第１の識別情報に基づいて前記管理システムにログインした場合に、前記第１の識別情報とは異なる第２の識別情報に対応する宛先候補を含む第１の宛先リストを、前記第１の通信端末に送信し、第２の通信端末から送信された前記第２の識別情報に基づいて前記管理システムにログインした場合に、前記第１の識別情報に対応する宛先候補を含む第２の宛先リストを、前記第２の通信端末に送信する送信ステップと、
前記第１の通信端末から受け付けた、前記第２の識別情報に対応する宛先候補を前記第１の宛先リストから削除する旨の削除要求に基づき、前記第１の宛先リストから前記第２の識別情報に対応する宛先候補を削除する一方で、前記削除要求のあった宛先候補に対応する前記第２の識別情報に関連付けられている前記第２の宛先リストから、前記第１の識別情報に対応する宛先候補を削除する削除ステップと、
を実行することを特徴とする管理方法。
【請求項９】
コンピュータに、
第１の通信端末から送信された第１の識別情報に基づいて、２つ以上の通信端末の間で通信を開始する際に用いられる宛先候補を管理する管理システムにログインした場合に、前記第１の識別情報とは異なる第２の識別情報に対応する宛先候補を含む第１の宛先リストを、前記第１の通信端末に送信し、第２の通信端末から送信された前記第２の識別情報に基づいて前記管理システムにログインした場合に、前記第１の識別情報に対応する宛先候補を含む第２の宛先リストを、前記第２の通信端末に送信する送信ステップと、
前記第１の通信端末から受け付けた、前記第２の識別情報に対応する宛先候補を前記第１の宛先リストから削除する旨の削除要求に基づき、前記第１の宛先リストから前記第２の識別情報に対応する宛先候補を削除する一方で、前記削除要求のあった宛先候補に対応する前記第２の識別情報に関連付けられている前記第２の宛先リストから、前記第１の識別情報に対応する宛先候補を削除する削除ステップと、
を実行させるためのプログラム。
【請求項１０】
２つ以上の通信端末と、該２つ以上の通信端末の間で通信を開始する際に用いられる宛先候補を管理する管理システムからなるシステムであって、
前記通信端末は、
前記宛先候補を表示させる表示制御手段と、
前記宛先候補を削除する旨の削除要求を前記管理システムへ送信する第２の送信手段と、を有し、
前記管理システムは、
第１の通信端末から送信された第１の識別情報に基づいて前記管理システムにログインした場合に、前記第１の識別情報とは異なる第２の識別情報に対応する宛先候補を含む第１の宛先リストを、前記第１の通信端末に送信し、第２の通信端末から送信された前記第２の識別情報に基づいて前記管理システムにログインした場合に、前記第１の識別情報に対応する宛先候補を含む第２の宛先リストを、前記第２の通信端末に送信する送信手段と、
前記第１の通信端末から受け付けた、前記第２の識別情報に対応する宛先候補を前記第１の宛先リストから削除する旨の削除要求に基づき、前記第１の宛先リストから前記第２の識別情報に対応する宛先候補を削除する一方で、前記削除要求のあった宛先候補に対応する前記第２の識別情報に関連付けられている前記第２の宛先リストから、前記第１の識別情報に対応する宛先候補を削除する削除手段と、
を有することを特徴とするシステム。
【請求項１１】
２つ以上の通信端末と、該２つ以上の通信端末の間で通信を開始する際に用いられる宛先候補を管理する管理システムからなるシステムが実行する方法であって、
前記通信端末において、
前記宛先候補を表示させる表示制御ステップと、
前記宛先候補を削除する旨の削除要求を前記管理システムへ送信する第２の送信ステップと、を実行し、
前記管理システムにおいて、
第１の通信端末から送信された第１の識別情報に基づいて前記管理システムにログインした場合に、前記第１の識別情報とは異なる第２の識別情報に対応する宛先候補を含む第１の宛先リストを、前記第１の通信端末に送信し、第２の通信端末から送信された前記第２の識別情報に基づいて前記管理システムにログインした場合に、前記第１の識別情報に対応する宛先候補を含む第２の宛先リストを、前記第２の通信端末に送信する送信ステップと、
前記第１の通信端末から受け付けた、前記第２の識別情報に対応する宛先候補を前記第１の宛先リストから削除する旨の削除要求に基づき、前記第１の宛先リストから前記第２の識別情報に対応する宛先候補を削除する一方で、前記削除要求のあった宛先候補に対応する前記第２の識別情報に関連付けられている前記第２の宛先リストから、前記第１の識別情報に対応する宛先候補を削除する削除ステップと、
を実行することを特徴とする方法。
【手続補正２】
【補正対象書類名】明細書
【補正対象項目名】発明の名称
【補正方法】変更
【補正の内容】
【発明の名称】管理システム、管理方法、プログラム、システム及び方法
【手続補正３】
【補正対象書類名】明細書
【補正対象項目名】０００５
【補正方法】変更
【補正の内容】
【０００５】
しかしながら、特許文献２に記載の発明では、通信端末が自ら宛先リストを管理しておらず、この通信端末に通信ネットワークを介して接続された管理サーバ（管理システム）が宛先リストを管理している。このような場合に、特許文献２には、宛先リストから宛先候補を削除する方法が開示されていない。
【手続補正４】
【補正対象書類名】明細書
【補正対象項目名】０００６
【補正方法】変更
【補正の内容】
【０００６】
請求項１に係る発明は、２つ以上の通信端末の間で通信を開始する際に用いられる宛先候補を管理する管理システムであって、第１の通信端末から送信された第１の識別情報に基づいて前記管理システムにログインした場合に、前記第１の識別情報とは異なる第２の識別情報に対応する宛先候補を含む第１の宛先リストを、前記第１の通信端末に送信し、第２の通信端末から送信された前記第２の識別情報に基づいて前記管理システムにログインした場合に、前記第１の識別情報に対応する宛先候補を含む第２の宛先リストを、前記第２の通信端末に送信する送信手段と、前記第１の通信端末から受け付けた、前記第２の識別情報に対応する宛先候補を前記第１の宛先リストから削除する旨の削除要求に基づき、前記第１の宛先リストから前記第２の識別情報に対応する宛先候補を削除する一方で、前記削除要求のあった宛先候補に対応する前記第２の識別情報に関連付けられている前記第２の宛先リストから、前記第１の識別情報に対応する宛先候補を削除する削除手段と、を有することを特徴とする管理システムである。
また、請求項１０に係る発明は、２つ以上の通信端末と、該２つ以上の通信端末の間で通信を開始する際に用いられる宛先候補を管理する管理システムからなるシステムであって、前記通信端末は、前記宛先候補を表示させる表示制御手段と、前記宛先候補を削除する旨の削除要求を前記管理システムへ送信する第２の送信手段と、を有し、前記管理システムは、第１の通信端末から送信された第１の識別情報に基づいて前記管理システムにログインした場合に、前記第１の識別情報とは異なる第２の識別情報に対応する宛先候補を含む第１の宛先リストを、前記第１の通信端末に送信し、第２の通信端末から送信された前記第２の識別情報に基づいて前記管理システムにログインした場合に、前記第１の識別情報に対応する宛先候補を含む第２の宛先リストを、前記第２の通信端末に送信する送信手段と、前記第１の通信端末から受け付けた、前記第２の識別情報に対応する宛先候補を前記第１の宛先リストから削除する旨の削除要求に基づき、前記第１の宛先リストから前記第２の識別情報に対応する宛先候補を削除する一方で、前記削除要求のあった宛先候補に対応する前記第２の識別情報に関連付けられている前記第２の宛先リストから、前記第１の識別情報に対応する宛先候補を削除する削除手段と、を有することを特徴とするシステムである。
【手続補正５】
【補正対象書類名】明細書
【補正対象項目名】０００７
【補正方法】変更
【補正の内容】
【０００７】
以上説明したように本発明によれば、管理システム側で宛先リストを管理している場合であっても、この宛先リストから所望の宛先候補を削除することができるという効果を奏する。